(57)【要約】【課題】部品点数、および組付け工数の増加を伴わずに、浸入した水の排出を可能とするワイヤハーネスを提供する。【解決手段】所定の電気機器１０に接続されて、電気機器に対する通電用の電線部１１０と、電線部を覆う保護チューブ１２０とを備えるワイヤハーネスにおいて、電線部、および保護チューブは、電気機器の下側で、Ｕ字状を描いて最下端位置Ａを形成して使用されるようになっており、保護チューブのＵ字状の下側において、最下端位置を含む所定領域に、保護チューブ内に浸入した水を排出するための開口部を設ける。この開口部により、プロテクタの増設や、プロテクタの固定等を不要として、即ち、部品点数および組付け工数の増加を伴わずに、保護チューブ内に浸入した水を効果的に排出することができる。【選択図】図１
2017092003.tif 000002
【特許請求の範囲】
【請求項１】
所定の電気機器（１０）に接続されて、前記電気機器に対する通電用の電線部（１１０）と、前記電線部を覆う保護チューブ（１２０）とを備えるワイヤハーネスにおいて、
前記電線部、および前記保護チューブは、前記電気機器の下側で、Ｕ字状を描いて最下端位置（Ａ）を形成して使用されるようになっており、
前記保護チューブの前記Ｕ字状の下側において、前記最下端位置を含む所定領域に、前記保護チューブ内に浸入した水を排出するための開口部（１２１）が設けられたワイヤハーネス。
【請求項２】
前記開口部の前記保護チューブの直径方向に対応する寸法（Ｌ）は、前記保護チューブの直径寸法（Ｄ）よりも小さくなるように設定された請求項１に記載のワイヤハーネス。
【請求項３】
前記開口部は、複数設けられた請求項１または請求項２に記載のワイヤハーネス。
【請求項４】
前記開口部は、孔（１２１ａ、１２１ｂ）、あるいはスリット（１２１ｃ）である請求項１〜請求項３のいずれか１つに記載のワイヤハーネス。
【発明の詳細な説明】
【技術分野】
【０００１】
本発明は、電気機器に接続されるワイヤハーネスに関するものである。
【背景技術】
【０００２】
従来のワイヤハーネスとして、例えば、特許文献１に記載されたものが知られている。特許文献１のワイヤハーネスは、電線群の表面に防水用テープが巻かれている。また、ワイヤハーネスの途中部分には、防水用テープが省略された電線露出部が形成されている。電線露出部は、Ｕ字状に取り回しされて、Ｕ字の最下端位置が、ワイヤハーネスの最も低い位置となっている。
【０００３】
そして、電線露出部には、中央位置にヒンジ部が設けられたＶ字状のプロテクタが装着されている。プロテクタは、ヒンジ部が電線露出部の最下端位置に配置され、ヒンジ部から延びる両延設部が電線群に沿うようにあてがわれて、Ｖ字の両端部は固定用テープによって電線群に固定されている。更に、プロテクタの最下端位置（ヒンジ部）には、水抜き穴が設けられている。
【０００４】
これによって、電線群と防水用テープとの隙間に水が浸入した場合でも、浸入した水は最下端位置に到達して、水抜き穴から外部に効果的に排水されるようになっている。
【先行技術文献】
【特許文献】
【０００５】
【特許文献１】特許第５２００７９４号公報
【発明の概要】
【発明が解決しようとする課題】
【０００６】
しかしながら、上記特許文献１のワイヤハーネスでは、水抜き穴を設けるために、プロテクタを必要としており、更には、プロテクタを電線群に固定用テープで固定する必要があり、部品点数、および組付け工数の増加を招いている。
【０００７】
本発明の目的は、上記問題に鑑み、部品点数、および組付け工数の増加を伴わずに、浸入した水の排出を可能とするワイヤハーネスを提供することにある。
【課題を解決するための手段】
【０００８】
本発明は上記目的を達成するために、以下の技術的手段を採用する。
【０００９】
本発明では、所定の電気機器（１０）に接続されて、電気機器に対する通電用の電線部（１１０）と、電線部を覆う保護チューブ（１２０）とを備えるワイヤハーネスにおいて、
電線部、および保護チューブは、電気機器の下側で、Ｕ字状を描いて最下端位置（Ａ）を形成して使用されるようになっており、
保護チューブのＵ字状の下側において、最下端位置を含む所定領域に、保護チューブ内に浸入した水を排出するための開口部（１２１）が設けられたことを特徴としている。
【００１０】
この発明によれば、保護チューブ（１２０）内に水が浸入した場合であっても、保護チューブのＵ字状の下側において、最下端位置を含む所定領域に設けられた開口部（１２１）から、浸入した水を効果的に排出することができる。よって、従来技術で説明したようなプロテクタの増設や、プロテクタの固定等を不要として、即ち、部品点数および組付け工数の増加を伴わずに、浸入した水を排出することが可能となる。
【００１１】
尚、上記各手段の括弧内の符号は、後述する実施形態記載の具体的手段との対応関係を示すものである。
【図面の簡単な説明】
【００１２】
【図１】給水ポンプに接続されたワイヤハーネスを示す正面図である。
【図２】図１におけるII方向から見た開口部（丸孔）を示す矢視図である。
【図３】その他の実施形態１における開口部（長孔）を示す矢視図である。
【図４】その他の実施形態２における開口部（スリット）を示す矢視図である。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１４】
（第１実施形態）
第１実施形態のワイヤハーネス１００について、図１、図２を用いて説明する。ワイヤハーネス１００は、例えば、家庭用給湯装置の室外ユニット内に設けられる所定の電気機器としての給水ポンプ１０に接続された通電用の配線である。電源部から出力される電力（電流）が、例えばインバータによって電流変換、および電流制御されて、ワイヤハーネス１００を介して、給水ポンプ１０に供給されるようになっている。
【００１５】
尚、給水ポンプ１０においては、例えば、水温が低く湿度が高い環境であると、給水ポンプ１０の表面、給水ポンプ１０の配管の表面等に結露水が発生し得る。つまり、給水ポンプ１０は、多少なりとも、被水し得る環境下で使用される電気機器となっている。
【００１６】
ワイヤハーネス１００は、電線部１１０、保護チューブ１２０、およびコネクタ１３１、１３２等を備えている。
【００１７】
電線部１１０は、導電性に優れる通電用の電線（例えば、銅線）が複数本、設けられたものであり、各電線は、所定の長さに設定されている。そして、各電線の表面には、絶縁用の被覆材（例えば、ポリ塩化ビニール被覆材）が設けられている。
【００１８】
保護チューブ１２０は、例えば、樹脂材から成る丸チューブであり、保護チューブ１２０の内部に、電線部１１０が挿通されるようになっている。保護チューブ１２０は、複数本の電線から成る電線部１１０を１つに束ねると共に、各電線を保護するチューブとなっている。そして、保護チューブ１２０の長さは、電線部１１０の長さよりも短く設定されており、両端部側において、それぞれ１０数ｍｍ程度、電線部１１０が保護チューブ１２０から露出するようになっている。
【００１９】
コネクタ１３１は、電線部１１０の一端側に設けられて、給水ポンプ１０と電線部１１０とを接続する接続部となっている。コネクタ１３１は、給水ポンプ１０の下側に設けられた口出し部に接続されるようになっている。尚、給水ポンプ１０における口出し部を下側とすることで、結露水等が給水ポンプ１０の内部に浸入しにくいようになっている。
【００２０】
コネクタ１３２は、電線部１１０の他端側に設けられて、インバータと電線部１１０とを接続する接続部となっている。
【００２１】
給水ポンプ１０に接続されたワイヤハーネス１００は、図１に示すように、給水ポンプ１０の下側でＵ字状を描いて最下端位置Ａを形成するように取回しされて、室外ユニット内で使用されるようになっている。
【００２２】
そして、保護チューブ１２０のＵ字状の下側において、最下端位置Ａを含むチューブ長手方向の所定領域に、保護チューブ１２０内に浸入した結露水等をチューブ外部に排出する開口部１２１が設けられている。所定領域は、例えば、最下端位置Ａを中心とする長手方向の両側の領域とすることができる。
【００２３】
開口部１２１は、例えば、図２に示すように、複数の孔、具体的には、複数の丸孔１２１ａとして形成されている。複数の丸孔１２１ａは、保護チューブ１２０の長手方向に並ぶと共に、径方向に千鳥配置されている。複数の丸孔１２１ａにおいて、保護チューブ１２０の直径方向に対応する寸法Ｌは、保護チューブ１２０の直径寸法Ｄよりも小さくなるように設定されている。
【００２４】
以上のように構成されるワイヤハーネス１００においては、給水ポンプ１０の表面、配管の表面等に発生する結露水等が、コネクタ１３１、電線部１１０を伝って、保護チューブ１２０内に浸入する場合がある。
【００２５】
本実施形態では、保護チューブ１２０内に水が浸入した場合であっても、保護チューブ１２０のＵ字状の下側において、最下端位置Ａを含む所定領域に開口部１２１（丸孔１２１ａ）を設けており、この開口部１２１から、浸入した水を効果的に排出することができる。よって、従来技術で説明したようなプロテクタの増設や、プロテクタの固定等を不要として、即ち、部品点数および組付け工数の増加を伴わずに、浸入した水を排出することが可能となる。
【００２６】
尚、本実施形態の開口部１２１が設けられていない保護チューブ１２０であると、浸入した水が保護チューブ１２０の最下端位置Ａの近傍に溜まってしまう。保護チューブ１２０内で水が溜まると、電線部１１０の被覆材が加水分解等により劣化してしまう、あるいは、水が腐ることで不潔な環境を作る原因となってしまう。
【００２７】
また、実際には、ワイヤハーネス１００の取回し時のバラツキによって、最下端位置Ａが思惑の位置からずれることが考えられる。加えて、保護チューブ１２０における開口部１２１（丸孔１２１ａ）の加工時のバラツキによって、最下端位置Ａに対する開口部１２１の位置がずれることが考えられる。しかしながら、開口部１２１を、最下端位置Ａを含む所定領域内に設けるようにしているので、上記のようなバラツキがあっても、実際に形成される最下端位置Ａに開口部１２１が存在するように配置することができ、効果的な排水が可能となる。
【００２８】
また、開口部１２１の保護チューブ１２０の直径方向に対応する寸法Ｌは、保護チューブ１２０の直径寸法Ｄよりも小さくなるように設定されている。したがって、開口部１２１によって、保護チューブ１２０の削除される部位が、過度に大きくなることを防止して、本来の保護チューブ１２０の機能を維持すると共に、排水機能を持たせることができる。
【００２９】
また、開口部１２１（丸孔１２１ａ）は、複数設けられるようにしているので、電線部１１０、および保護チューブ１２０がＵ字状に曲げられることで、電線部１１０が最下端位置Ａの近傍で保護チューブ１２０に接触して、開口部１２１を完全に塞いでしまうことを抑制することができる。
【００３０】
（変形例１）
変形例１における開口部１２１を図３に示す。変形例１は、開口部１２１を長孔１２１ｂとしたものである。長孔１２１ｂは、図３（ａ）に示すように、長孔１２１ｂの長手方向が、保護チューブ１２０の長手方向に対して交差して、保護チューブ１２０の長手方向の所定領域に複数並べられたものとすることができる。
【００３１】
また、図３（ｂ）に示すように、長孔１２１ｂとして、長孔１２１ｂの長手方向が、保護チューブ１２０の長手方向に対して斜めになって、保護チューブ１２０の長手方向の所定領域に複数並べられたものとすることができる。
【００３２】
更に、図３（ｃ）に示すように、長孔１２１ｂとして、長孔１２１ｂの長手方向が、保護チューブ１２０の長手方向に沿うように、保護チューブ１２０の長手方向の所定領域に１つ設けられたものとすることができる。尚、図３（ｃ）における長孔１２１ｂは、複数設けられるものとしてもよい。
【００３３】
変形例１においても、上記第１実施形態と同様の効果を奏することができる。
【００３４】
（変形例２）
変形例２における開口部１２１を図４に示す。変形例２は、上記変形例１に対して、長孔１２１ｂをスリット１２１ｃにしたものである。スリット１２１ｃは、上記のような各孔１２１ａ、１２１ｂのように、保護チューブ１２０の部分的な除肉によって形成されるものでなく、例えば、カッター等で直線的に形成した切れ目である。スリット１２１ｃは、保護チューブ１２０がＵ字状に曲げられる際に、切れ目が多少開いて開口部（１２１）としての機能を果たす。この変形例２においても、上記第１実施形態と同様の効果を奏することができる。
【００３５】
（その他の実施形態）
上記第１実施形態、および各変形例１、２では、ワイヤハーネス１００は、電気機器として給湯装置用の給水ポンプ１０に接続されるものとしたが、これに限定されるものではない。他の電気機器として、給湯装置の室外ユニットに設けられて、給水の加熱源を形成するヒートポンプサイクル装置の熱交換器用のファンモータとしてもよい。また、電気機器として、家庭用の空調装置における室外ユニット内に設けられる熱交換器用のファンモータとしてもよい。更には、エンジンルーム内に設けられる車両用空調装置における、熱交換器用のファンモータ、電動コンプレッサ用のモータ等としてもよい。
【００３６】
室外ユニットに設けられるファンモータでは、室外ユニットのケースにおける空気流通用の開口部から雨水が室外ユニットの内部に吹き込んで、ファンモータにかかる場合がある。また、エンジンルーム内に設けられるファンモータ、コンプレッサ用のモータ等では、エンジンルーム内に吹き込んだ雨水、あるいは、低温冷媒によって発生する結露水等がモータにかかる場合がある。よって、これらモータにも本発明のワイヤハーネスを用いて好適である。
【００３７】
また、開口部１２１における寸法Ｌは、保護チューブ１２０の直径寸法Ｄよりも小さくなるように設定したが、これに限定されることなく、保護チューブ１２０の保護機能を低下させない範囲で、直径寸法Ｄと同等、あるいはそれ以上となるようにしてもよい。
【００３８】
また、開口部１２１の設定数は、単数、複数のいずれでもよい。また、開口部１２１の形状は、丸孔１２１ａ、長孔１２１ｂ、更にはスリット１２１ｃに限らず、他の形状としてもよい。
【００３９】
また、保護チューブ１２０は、ベーシックな丸チューブとしたが、これに限定されることなく、他のコルゲートチューブ、ネットチューブ等としてもよい。
【符号の説明】
【００４０】
１０  給水ポンプ（所定の電気機器）
１００  ワイヤハーネス
１１０  電線部
１２０  保護チューブ
１２１  開口部
１２１ａ  丸孔
１２１ｂ  長孔
１２１ｃ  スリット
【図１】
2017092003.tif 000003
【図２】
2017092003.tif 000004
【図３】
2017092003.tif 000005
【図４】
2017092003.tif 000006